(57)【特許請求の範囲】
【請求項１】
二次電池と、該二次電池から電力が供給されて受けた放射線量に応じた放射線画像を生成する放射線検出部とが収納され、連続する２つの側面の少なくとも一方に、前記二次電池を充電する電力を受電する受電部が設けられた複数種類の大きさのカセッテを収容することが可能なカセッテ収容装置であって、
収容されたカセッテの前記側面の一方に対向する傾斜面と、前記収容されたカセッテの前記側面の他方に対向し、かつ、前記カセッテを収容したときに前記カセッテが前記傾斜面方向に移動するように傾斜させた底面とで形成された溝部を備え、
前記傾斜面のみ、又は前記傾斜面及び前記底面の双方に、前記カセッテが収容されたときに前記受電部に電力を供給する電力供給部が形成されたカセッテ収容装置。
【請求項２】
受けた放射線量に応じた放射線画像を生成する放射線検出部が収納され、連続する２つの側面の少なくとも一方に、前記放射線画像を出力するための出力用電極が露出するように設けられた複数種類の大きさのカセッテを収容することが可能なカセッテ収容装置であって、
収容されたカセッテの前記側面の一方に対向する傾斜面と、前記収容されたカセッテの前記側面の他方に対向し、かつ、前記カセッテを収容したときに前記カセッテが前記傾斜面方向に移動するように傾斜させた底面とで形成された溝部を備え、
前記傾斜面のみ、又は前記傾斜面及び前記底面の双方に、前記カセッテが収容されたときに前記出力用電極と接触する電極が形成されたカセッテ収容装置。
【請求項３】
前記カセッテは、連続する２つの側面の少なくとも一方に、前記放射線画像を出力するための出力用電極及び前記受電部が設けられ、
前記傾斜面のみ、又は前記傾斜面及び前記底面の双方に、前記カセッテが収容されたときに前記受電部に電力を供給する電力供給部と、前記カセッテが収容されたときに前記出力用電極と接触する電極とが形成された請求項１記載のカセッテ収容装置。
【請求項４】
前記カセッテは、連続する２つの側面の少なくとも一方であって、前記カセッテが収容されたときに前記傾斜面と接触する範囲内に、前記受電部が設けられた請求項１又は３記載のカセッテ収容装置。
【請求項５】
前記カセッテは、連続する２つの側面の少なくとも一方であって、前記２つの側面で形成される稜線から所定範囲内に、前記受電部が設けられた請求項１、３、又は４記載のカセッテ収容装置。
【請求項６】
前記カセッテが収容されたときに前記受電部及び前記電力供給部を介して前記二次電池を充電する充電部を更に備えた請求項１、３、４、又は５記載のカセッテ収容装置。
【請求項７】
二次電池と、前記二次電池を充電する電力を受電する受電部とを備え、かつ、着脱可能に構成された複数種類の大きさの電源装置を、連続する２つの側面の少なくとも一方に収納することが可能であって、かつ、該二次電池から電力が供給されて受けた放射線量に応じた放射線画像を生成する放射線検出部が収納されたカセッテを、収容することが可能なカセッテ収容装置であって、
収容されたカセッテの前記側面の一方に対向する傾斜面と、前記収容されたカセッテの前記側面の他方に対向し、かつ、前記カセッテを収容したときに前記カセッテが前記傾斜面方向に移動するように傾斜させた底面とで形成された溝部を備え、
前記傾斜面のみ、又は前記傾斜面及び前記底面の双方に、前記カセッテが収容されたときに前記受電部に電力を供給する電力供給部が形成されたカセッテ収容装置。
【請求項８】
前記受電部を、露出するように設けられた二次電池用電極とし、
前記電力供給部を、前記二次電池用電極と接触するための電極とした請求項１、３、４、５、６、又は７記載のカセッテ収容装置。
【請求項９】
前記電力供給部を、非接触充電するための１次コイルとし、
前記受電部を、２次コイルとした請求項１、３、４、５、６、又は７記載のカセッテ収容装置。
【請求項１０】
前記カセッテは、連続する２つの側面の少なくとも一方であって、前記カセッテが収容されたときに前記傾斜面と接触する範囲内に、前記出力用電極が設けられた請求項２又は３記載のカセッテ収容装置。
【請求項１１】
前記カセッテは、連続する２つの側面の少なくとも一方であって、前記２つの側面で形成される稜線から所定範囲内に、前記出力用電極が設けられた請求項２、３、又は１０記載のカセッテ収容装置。
【請求項１２】
前記カセッテが収容されたときに前記出力用電極及び前記電極を介して前記放射線画像を読み出す読み出し部を更に備えた請求項２、３、１０、又は１１記載のカセッテ収容装置。
【請求項１３】
前記溝部は複数形成され、
前記溝部の各々の前記傾斜面のみ、又は前記傾斜面及び前記底面の双方に、前記電力供給部又は前記電極が形成された請求項１〜請求項１２の何れか１項記載のカセッテ収容装置。
【請求項１４】
前記溝部は仕切り部によって複数部分に分割され、
前記分割された前記溝部の部分の各々の前記傾斜面のみ、又は前記傾斜面及び前記底面の双方に、前記電力供給部又は前記電極が形成された請求項１〜請求項１３の何れか１項記載のカセッテ収容装置。
【請求項１５】
収容されたカセッテの重さ又は大きさが小さいほど、前記カセッテの収容位置を、前記傾斜面の垂線方向及び前記底面の垂線方向の少なくとも一方の方向に押し上げる押し上げ機構を更に含む請求項１〜請求項１４の何れか１項記載のカセッテ収容装置。
【請求項１６】
前記押し出し機構を、弾性部材とした請求項１５記載のカセッテ収容装置。
【請求項１７】
前記溝部は、前記傾斜面に対向する面、および前記底面に対向する面が双方とも開放されている
請求項１〜請求項１６の何れか１項記載のカセッテ収容装置。
【請求項１８】
請求項１〜請求項１７の何れか１項記載のカセッテ収容装置と、
前記複数種類の大きさのカセッテと、
を含む放射線検出システム。
【発明の詳細な説明】
【技術分野】
【０００１】
本発明は、カセッテ収容装置、及び放射線検出システムに係り、特に、カセッテを収容することが可能なカセッテ収容装置及び放射線検出システムに関する。
【背景技術】
【０００２】
従来、放射線検出器及び画像メモリを有し、放射線検出器によって検出された放射線画像を画像データとしてメモリに記憶する構成の複数個の電子カセッテ（もしくは放射線検出用カセッテ）が収納可能で、それらの電子カセッテとの間で電気的接続がなされるカセッテ収納ボックス（もしくはカセッテスタンド）が知られている（特許文献１、２）。
【先行技術文献】
【特許文献】
【０００３】
【特許文献１】特開２００２−２４８０９５号公報
【特許文献２】特許３６１１０８４号公報
【発明の概要】
【発明が解決しようとする課題】
【０００４】
しかしながら、上記の特許文献１、２に記載の技術では、大きさの異なる複数個のカセッテを収容する場合に、カセッテとカセッテ収容装置との位置合わせを行っていないため、カセッテ収容装置がカセッテと安定して電気的に接続されない、という問題がある。
【０００５】
本発明は上記問題点を解決するためになされたものであり、カセッテと安定して電気的に接続して、充電又は画像の出力を行うことができるカセッテ収容装置及び放射線検出システムを提供することを目的とする。
【課題を解決するための手段】
【０００７】
上記目的を達成するために、第１の発明に係るカセッテ収容装置は、二次電池と、該二次電池から電力が供給されて受けた放射線量に応じた放射線画像を生成する放射線検出部とが収納され、連続する２つの側面の少なくとも一方に、前記二次電池を充電する電力を受電する受電部が設けられた複数種類の大きさのカセッテを収容することが可能なカセッテ収容装置であって、収容されたカセッテの前記側面の一方に対向する傾斜面と、前記収容されたカセッテの前記側面の他方に対向し、かつ、前記カセッテを収容したときに前記カセッテが前記傾斜面方向に移動するように傾斜させた底面とで形成された溝部を備え、前記傾斜面のみ、又は前記傾斜面及び前記底面の双方に、前記カセッテが収容されたときに前記受電部に電力を供給する電力供給部が形成されて構成されている。
【０００８】
第１の発明に係るカセッテ収容装置によれば、カセッテを、溝部に収容すると、収容されたカセッテの側面の一方が、傾斜面に対向し、収容されたカセッテの側面の他方が、底面に対向する。そして、傾斜させた底面によって、カセッテが傾斜面方向に移動して、カセッテの２つの側面が、溝部の底面及び傾斜面に当接する。このとき、傾斜面のみ、又は傾斜面及び底面の双方に形成された電力供給部が、カセッテの側面の一方に設けられた受電部に電力を供給する。
【０００９】
このように、収容されたカセッテの２つの側面を、溝部の底面及び傾斜面に当接させて、傾斜面のみ、又は傾斜面及び底面の双方に形成された電力供給部から、カセッテの側面に設けられた受電部に電力を供給させることにより、カセッテと安定して電気的に接続して、充電を行うことができる。
【００１０】
第２の発明に係るカセッテ収容装置は、受けた放射線量に応じた放射線画像を生成する放射線検出部が収納され、連続する２つの側面の少なくとも一方に、前記放射線画像を出力するための出力用電極が露出するように設けられた複数種類の大きさのカセッテを収容することが可能なカセッテ収容装置であって、収容されたカセッテの前記側面の一方に対向する傾斜面と、前記収容されたカセッテの前記側面の他方に対向し、かつ、前記カセッテを収容したときに前記カセッテが前記傾斜面方向に移動するように傾斜させた底面とで形成された溝部を備え、前記傾斜面のみ、又は前記傾斜面及び前記底面の双方に、前記カセッテが収容されたときに前記出力用電極と接触する電極が形成されて構成されている。
【００１１】
第２の発明に係るカセッテ収容装置によれば、カセッテを、溝部に収容すると、収容されたカセッテの側面の一方が、傾斜面に対向し、収容されたカセッテの側面の他方が、底面に対向する。そして、傾斜させた底面によって、カセッテが傾斜面方向に移動して、カセッテの２つの側面が、溝部の底面及び傾斜面に当接する。このとき、傾斜面のみ、又は傾斜面及び底面の双方に形成された電極が、カセッテの側面の一方に設けられた出力用電極と接触する。
【００１２】
このように、収容されたカセッテの２つの側面を、溝部の底面及び傾斜面に当接させて、傾斜面のみ、又は傾斜面及び底面の双方に形成された電極を、カセッテの側面に設けられた出力用電極に接触させることにより、カセッテと安定して電気的に接続して、放射線画像の出力を行うことができる。
【００１３】
第１の発明に係るカセッテは、連続する２つの側面の少なくとも一方に、放射線画像を出力するための出力用電極及び受電部が設けられ、カセッテ収容装置は、傾斜面のみ、又は傾斜面及び底面の双方に、カセッテが収容されたときに受電部に電力を供給する電力供給部と、カセッテが収容されたときに出力用電極と接触する電極とが形成されることができる。これによって、カセッテと安定して電気的に接続して、充電及び放射線画像の出力を行うことができる。
【００１４】
第１の発明に係るカセッテは、連続する２つの側面の少なくとも一方であって、カセッテが収容されたときに傾斜面と接触する範囲内に、受電部を設けることができる。これによって、いずれの大さきのカセッテでも、収容されたときに受電部が、傾斜面と接触する範囲内に設けられているため、カセッテと安定して電気的に接続することができる。
【００１５】
第１の発明に係るカセッテは、連続する２つの側面の少なくとも一方であって、２つの側面で形成される稜線から所定範囲内に、受電部を設けることができる。これによって、いずれの大さきのカセッテでも、収容されたときに受電部が、斜面又は底面と対向する範囲内に設けられているため、カセッテと安定して電気的に接続することができる。
【００１６】
第１の発明に係るカセッテ収容装置は、カセッテが収容されたときに受電部及び電力供給部を介して二次電池を充電する充電部を更に備えることができる。
【００１７】
第３の発明に係るカセッテ収容装置は、二次電池と、前記二次電池を充電する電力を受電する受電部とを備え、かつ、着脱可能に構成された複数種類の大きさの電源装置を、連続する２つの側面の少なくとも一方に収納することが可能であって、かつ、該二次電池から電力が供給されて受けた放射線量に応じた放射線画像を生成する放射線検出部が収納されたカセッテを、収容することが可能なカセッテ収容装置であって、収容されたカセッテの前記側面の一方に対向する傾斜面と、前記収容されたカセッテの前記側面の他方に対向し、かつ、前記カセッテを収容したときに前記カセッテが前記傾斜面方向に移動するように傾斜させた底面とで形成された溝部を備え、前記傾斜面のみ、又は前記傾斜面及び前記底面の双方に、前記カセッテが収容されたときに前記受電部に電力を供給する電力供給部が形成されて構成されている。
【００１８】
第３の発明に係るカセッテ収容装置によれば、カセッテを、溝部に収容すると、収容されたカセッテの側面の一方が、傾斜面に対向し、収容されたカセッテの側面の他方が、底面に対向する。そして、傾斜させた底面によって、カセッテが傾斜面方向に移動して、カセッテの２つの側面が、溝部の底面及び傾斜面に当接する。このとき、傾斜面のみ、又は傾斜面及び底面の双方に形成された電力供給部が、カセッテの側面の一方に収納された電源装置の受電部に電力を供給する。
【００１９】
このように、収容されたカセッテの２つの側面を、溝部の底面及び傾斜面に当接させて、傾斜面のみ又は傾斜面及び底面の双方に形成された電力供給部から、カセッテの側面に収容された電源装置の受電部に電力を供給させることにより、カセッテと安定して電気的に接続して、充電を行うことができる。
【００２０】
上記の受電部を、露出するように設けられた二次電池用電極とし、電力供給部を、二次電池用電極と接触するための電極とすることができる。
【００２１】
上記の電力供給部を、非接触充電するための１次コイルとし、受電部を、２次コイルとすることができる。
【００２２】
第２の発明に係るカセッテは、連続する２つの側面の少なくとも一方であって、カセッテが収容されたときに傾斜面と接触する範囲内に、出力用電極を設けることができる。これによって、いずれの大さきのカセッテでも、収容されたときに出力用電極が、傾斜面と接触する範囲内に設けられているため、カセッテと安定して電気的に接続することができる。
【００２３】
第２の発明に係るカセッテは、連続する２つの側面の少なくとも一方であって、２つの側面で形成される稜線から所定範囲内に、出力用電極を設けることができる。これによって、いずれの大さきのカセッテでも、収容されたときに出力用電極が、傾斜面又は底面と対向する範囲内に設けられているため、カセッテと安定して電気的に接続することができる。
【００２４】
第２の発明に係るカセッテ収容装置は、カセッテが収容されたときに出力用電極及び電極を介して放射線画像を読み出す読み出し部を更に備えることができる。
【００２５】
上記のカセッテ収容装置は、溝部が複数形成され、溝部の各々の傾斜面のみ、又は傾斜面及び底面の双方に、電力供給部又は電極が形成されるように構成することができる。これによって、複数のカセッテを同時に収容して、同時に充電又は放射線画像の出力を行うことができる。
【００２６】
上記のカセッテ収容装置は、溝部が仕切り部によって複数部分に分割され、分割された溝部の部分の各々の傾斜面のみ、又は傾斜面及び底面の双方に、電力供給部又は電極を形成することができる。これによって、複数のカセッテを同時に収容して、同時に充電又は放射線画像の出力を行うことができる。
【００２７】
上記のカセッテ収容装置は、収容されたカセッテの重さ又は大きさが小さいほど、カセッテの収容位置を、傾斜面の垂線方向及び底面の垂線方向の少なくとも一方の方向に押し上げる押し上げ機構を更に含むことができる。これによって、複数種類の大きさのカセッテを収容しても、カセッテの位置の差を小さくすることができるため、カセッテの取り出しが容易となる。
【００２８】
上記の押し出し機構を、弾性部材とすることができる。
【００２９】
第４の発明に係る放射線検出システムは、上記のカセッテ収容装置と、複数種類の大きさのカセッテとを含んで構成されている。
【発明の効果】
【００３３】
本発明に係るカセッテ収容装置及び放射線検出システムによれば、収容されたカセッテの２つの側面を、溝部の底面及び傾斜面に当接させて、傾斜面のみ、又は傾斜面及び底面の双方に形成された電力供給部から、カセッテの側面に設けられた受電部に電力を供給させることにより、又は、傾斜面のみ、又は傾斜面及び底面の双方に形成された電極を、カセッテの側面に設けられた二次電池用電極又は出力用電極に接触させることにより、カセッテと安定して電気的に接続して、充電又は放射線画像の出力を行うことができる、という効果が得られる。
【図面の簡単な説明】
【００３５】
【図１】本発明の第１の実施の形態に係る放射線画像取扱システムの概略構成を示す斜視図である。
【図２】(Ａ)は放射線画像撮影時の電子カセッテの配置を示す概略図、(Ｂ)は電子カセッテの内部構造を示す斜視図である。
【図３】本発明の第１の実施の形態に係る電子カセッテ及びカセッテスタンドの概略構成を示す断面図である。
【図４】最小サイズの電子カセッテのサイズを説明するための図である。
【図５】本発明の第１の実施の形態に係る電子カセッテ及びカセッテスタンドの概略構成を示すブロック図である。
【図６】本発明の第２の実施の形態に係る電子カセッテ及びカセッテスタンドの概略構成を示す断面図である。
【図７】本発明の第２の実施の形態に係る電子カセッテ及びカセッテスタンドの概略構成を示す断面図である。
【図８】（Ａ）本発明の第３の実施の形態に係る電子カセッテ及びカセッテスタンドの概略構成を示す断面図、及び（Ｂ）可動部及びバネ部材の構成を示す断面図である。
【図９】バネ部材によって電子カセッテの収容位置が押し上げられた様子を示す断面図である。
【図１０】本発明の第５の実施の形態に係る電子カセッテ、カセッテスタンド、電源部、及び読み出し装置の概略構成を示すブロック図である。
【図１１】本発明の第６の実施の形態に係る電子カセッテ及びカセッテスタンドの概略構成を示す断面図である。
【図１２】本発明の第７の実施の形態に係る電子カセッテ及びカセッテスタンドの概略構成を示す断面図である。
【図１３】本発明の第８の実施の形態に係る電源装置及びバッテリースタンドの概略構成を示す断面図である。
【発明を実施するための形態】
【００３６】
以下、本発明の実施の形態について詳細に説明する。
【００３７】
図１に示すように、第１の実施の形態に係る放射線画像取扱システム１０は、可搬性を有し、画像情報を担持した放射線が照射される毎に画像情報を画像データに変換して蓄積記憶可能な電子カセッテ１２と、電子カセッテ１２を収容して、収容した電子カセッテ１２を充電すると共に、収容した電子カセッテ１２に蓄積記憶された画像データを読み出し可能なカセッテスタンド８４から構成されている。なお、放射線画像取扱システム１０は、本発明に係る放射線検出システムに対応し、電子カセッテ１２は、本発明に係るカセッテに対応し、カセッテスタンド８４は本発明に係るカセッテ収容装置に対応している。
【００３８】
図２(Ａ)に示すように、電子カセッテ１２は、放射線画像の撮影時に、エックス線（Ｘ線）等の放射線を発生する放射線発生部１４と間隔を空けて配置される。このときの放射線発生部１４と電子カセッテ１２との間は、被写体１６が位置するための撮影位置とされており、放射線画像の撮影が指示されると、放射線発生部１４は予め与えられた撮影条件等に応じた放射線量の放射線を射出する。放射線発生部１４から射出された放射線は、撮影位置に位置している被写体１６を透過することで画像情報を担持した後に電子カセッテ１２に照射される。
【００３９】
図２(Ｂ)に示すように、電子カセッテ１２は、放射線Ｘを透過させる材料から成り厚みを有する矩形平板状のケーシング(筐体)２０によって覆われており、ケーシング２０の内部には、ケーシング２０のうち放射線Ｘが照射される照射面２２側から順に、被写体１６を透過することに伴って生ずる放射線Ｘの散乱線を除去するグリッド２４、放射線Ｘを検出する放射線検出器(放射線検出パネル)２６、及び、放射線Ｘのバック散乱線を吸収する鉛板２８が配設されている。なお、ケーシング２０の照射面２２をグリッド２４で構成してもよい。また、ケーシング２０の内部の一端側には、マイクロコンピュータを含む各種回路（後述）を収容するケース３０が配置されている。ケース３０内部に収容された各種回路が放射線Ｘの照射に伴って損傷することを回避するため、ケース３０の照射面２２側には鉛板等を配設しておくことが望ましい。
【００４０】
一方、図１、図３に示すように、カセッテスタンド８４のケーシング９４の上面には、斜め谷型に凹んだ挿入溝１７２が複数形成されている。挿入溝１７２の各々は開口部が矩形状とされ、開口部の幅が、電子カセッテ１２のケーシング２０を挿入可能な幅（例えば、電子カセッテ１２の最大の厚みにゆとりを設けた幅）とされている。このように、複数の挿入溝１７２は、大きさの異なる複数個の電子カセッテ１２を同時に収容することができるように構成されている。電子カセッテ１２のケーシング２０は、当該ケーシング２０のうちケース３０が配置されている一端側の側面（本実施形態ではこの側面を「底部面２０Ａ」と称する）と底部面２０Ａに連続する側面とが形成する稜線が下方を向いている状態で、カセッテスタンド８４の挿入溝１７２内に挿入されると、電子カセッテ１２のケーシング２０の底部面２０Ａが挿入溝１７２の底面１７２Ａと対向し、ケーシング２０の底部面２０Ａに連続する側面が挿入溝１７２の傾斜面としての背面１７２Ｂと対向する。また、電子カセッテ１２のケーシング２０の底部面２０Ａが挿入溝１７２の底面１７２Ａ（図６(Ａ)参照）と当接するように挿入されると、挿入された電子カセッテ１２が挿入溝１７２の背面１７２Ｂ方向に移動するように底部面２０Ａが傾斜しているため、電子カセッテ１２のケーシング２０の底部面２０Ａに隣接する側面が挿入溝１７２の背面１７２Ｂと当接する。このとき、ケーシング２０の底部面２０Ａと底部面２０Ａに連続する側面とで形成される稜線が、挿入溝１７２の底面１７２Ａと背面１７２Ｂとで形成される稜線と当接されて、電子カセッテ１２が、カセッテスタンド８４に位置合わせされる。
【００４１】
電子カセッテ１２のケーシング２０の底部面２０Ａと底部面２０Ａに連続する側面とで形成される稜線を含む角部領域と、底部面２０Ａの稜線から所定範囲内の特定領域とに、露出するように二次電池用電極７６が設けられている。ここで、所定範囲は、最小サイズの電子カセッテ１２のケーシング２０の底部面２０Ａが、底部面２０Ａと対向する底面１７２Ａに接触する領域の長手方向の長さの範囲であり、例えば、最小サイズの電子カセッテ１２のケーシング２０の底部面２０Ａの長手方向の長さが、底面１７２Ａの長手方向の長さ以下である場合には、ＪＩＳ規格のＪＩＳＺ４９０５にて定義される図４に示す１５×３０カセッテの底部面の長手方向の長さ（１７７．５ｍｍ）の範囲である。これによって、全てのサイズの電子カセッテ１２の底部面２０Ａが、カセッテスタンド８４の挿入溝１７２の底面１７２Ａと接触する領域に、二次電池用電極７６が設けられる。
【００４２】
また、電子カセッテ１２のケーシング２０の底部面２０Ａと底部面２０Ａと連続する側面とで形成される稜線から所定範囲内の側面の特定領域に露出するように出力用電極７４が設けられている。ここで、所定範囲は、最小サイズの電子カセッテ１２のケーシング２０の底部面２０Ａと連続する側面が、対向する背面１７２Ｂと接触する領域の長手方向の長さの範囲であり、例えば、最小サイズの電子カセッテ１２のケーシング２０の側面の長手方向の長さが、背面１７２Ｂの長手方向の長さ以下である場合には、ＪＩＳ規格のＪＩＳＺ４９０５にて定義される１５×３０カセッテの底部面と連続する側面の長手方向の長さ（３２７．５ｍｍ）の範囲である。これによって、全てのサイズの電子カセッテ１２の側面が、カセッテスタンド８４の挿入溝１７２の背面１７２Ｂと接触する領域に、出力用電極７４が設けられる。
【００４３】
本実施の形態では、全てのサイズの電子カセッテ１２において、角部領域と底部面２０Ａの稜線からの特定領域とに二次電池用電極７６が設けられ、底部面２０Ａに連続する側面の稜線からの特定領域とに出力用電極７４が設けられている。
【００４４】
カセッテスタンド８４のケーシング９４の各挿入溝１７２の底面１７２Ａと背面１７２Ｂとには、電子カセッテ１２のケーシング２０が挿入溝１７２に挿入された状態で出力用電極７４、二次電池用電極７６が接触する領域に、電極１３４、１４２が露出するように各々設けられている。すなわち、各挿入溝１７２において、底面１７２Ａと背面１７２Ｂで形成される稜線を含む角部領域と、底面１７２Ａの稜線に対する特定領域（電子カセッテ１２の二次電池用電極７６が設けられた特定領域と同じ領域）とに露出するように電極１４２が設けられている。また、各挿入溝１７２において、背面１７２Ｂの稜線に対する特定領域（電子カセッテ１２の出力用電極７４が設けられた特定領域と同じ領域）に露出するように電極１３４が設けられている。
【００４５】
上記のように、出力用電極７４、二次電池用電極７６、電極１３４、１４２が設けられていることにより、電子カセッテ１２のケーシング２０の底部面２０Ａが挿入溝１７２の底面１７２Ａと当接し、電子カセッテ１２のケーシング２０の底部面２０Ａに隣接する側面が挿入溝１７２の背面１７２Ｂと当接している状態では、個々の二次電池用電極７６が個々の電極１４２と各々接触し、個々の二次電池用電極７６と個々の電極１４２とが導通状態となり、また、出力用電極７４が電極１３４に接触し、出力用電極７４と電極１３４とが導通状態となる。
【００４６】
なお、カセッテスタンド８４の挿入溝１７２の底面１７２Ａや背面１７２Ｂに設けられた電極１３４、１４２は、矩形状の突起部と共に設けられていることが好ましい。この場合には、電子カセッテ１２のケーシング２０の底部面２０Ａや側面に設けられた出力用電極７４、二次電池用電極７６が、開口部が矩形状とされた溝内に設け、カセッテスタンド８４側の突起部が電子カセッテ側の溝に入り込んだ状態で、二次電池用電極７６が電極１４２と接触し、出力用電極７４が電極１３４に接触するように構成すればよい。
【００４７】
次に電子カセッテ１２及びカセッテスタンド８４の電気系の構成を説明する。電子カセッテ１２の放射線検出器２６は、図５に示すＴＦＴアクティブマトリクス基板３２上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。また、ＴＦＴアクティブマトリクス基板３２上には、光電変換層で発生された電荷を蓄積する蓄積容量３４と、蓄積容量３４に蓄積された電荷を読み出すためのＴＦＴ３６とを備えた画素部４０（図５では個々の画素部４０に対応する光電変換層を光電変換部３８として模式的に示している）がマトリクス状に多数個配置されており、電子カセッテ１２への放射線の照射に伴って光電変換層で発生された電荷は、個々の画素部４０の蓄積容量３４に蓄積される。これにより、電子カセッテ１２に照射された放射線に担持されていた画像情報は電荷情報へ変換されて放射線検出器２６に保持される。
【００４８】
また、ＴＦＴアクティブマトリクス基板３２には、一定方向（行方向）に延設され個々の画素部４０のＴＦＴ３６をオンオフさせるための複数本のゲート配線４２と、ゲート配線４２と直交する方向（列方向）に延設されオンされたＴＦＴ３６を介して蓄積容量３４から蓄積電荷を読み出すための複数本のデータ配線４４とが設けられている。個々のゲート配線４２はゲート線ドライバ４６に接続されており、個々のデータ配線４４は信号処理部４８に接続されている。個々の画素部４０の蓄積容量３４に電荷が蓄積されると、個々の画素部４０のＴＦＴ３６は、ゲート線ドライバ４６からゲート配線４２を介して供給される信号により行単位で順にオンされ、ＴＦＴ３６がオンされた画素部４０の蓄積容量３４に蓄積されている電荷は、電荷信号としてデータ配線４４を伝送されて信号処理部４８に入力される。従って、個々の画素部４０の蓄積容量３４に蓄積されている電荷は行単位で順に読み出される。
【００４９】
図示は省略するが、信号処理部４８は、個々のデータ配線４４毎に設けられた増幅器及びサンプルホールド回路を備えており、個々のデータ配線４４を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部４８には画像メモリ５０が接続されており、信号処理部４８のＡ／Ｄ変換器から出力された画像データは画像メモリ５０に順に記憶される。画像メモリ５０は複数フレーム分の画像データを記憶可能な記憶容量を有しており、放射線画像の撮影が行われる毎に、撮影によって得られた画像データが画像メモリ５０に順次記憶される。
【００５０】
また、電子カセッテ１２の出力用電極７４は、導体を介して出力制御部７２に接続されている。出力制御部７２はマイクロコンピュータによって実現され、カセッテスタンド８４からのデータ出力要求に応じて、画像メモリ５０に記憶された画像データを、出力用電極７４を介してカセッテスタンド８４へ出力する。
【００５１】
また、電子カセッテ１２には主電源部８０が設けられており、主電源部８０は各種回路や各素子(ゲート線ドライバ４６、信号処理部４８、画像メモリ５０、出力制御部７２として機能するマイクロコンピュータ等)へ電力を供給し、各種回路や各素子は主電源部８０から供給された電力によって作動する。また、ＴＦＴアクティブマトリクス基板３２は、主電源部８０から電力が供給されて、照射された放射線量に応じた電荷量の電荷を発生する。主電源部８０は、電子カセッテ１２の可搬性を損なわないように、バッテリ（充電可能な二次電池）を内蔵し、充電されたバッテリから各種回路及び各種素子へ電力を供給するように構成されている。
【００５２】
電子カセッテ１２の二次電池用電極７６は導体を介して主電源部８０に接続されている。主電源部８０の二次電源は、二次電池用電極７６を介してカセッテスタンド８４から供給された電力によって充電される。
【００５３】
カセッテスタンド８４の読み出し部１０８には操作部１１６が接続されている。操作部１１６は、ケーシング９４の操作パネル（図示省略）に設けられ各種のメッセージを含む任意の情報を表示可能なディスプレイ（図示省略）と、同じくケーシング９４に設けられ複数のキーを備えたキーボード（図示省略）を含んで構成されている。利用者がキーボードを操作することで入力された各種の指示や情報は読み出し部１０８に入力される。
【００５４】
また、読み出し部１０８には画像メモリ１２４が接続され、また、カセッテスタンド８４の電極１３４は読み出し部１０８に導体を介して接続されている。電子カセッテ１２とカセッテスタンド８４との通信では、電極１３４が出力用電極７４と接触し、導通している場合、電子カセッテ１２の画像メモリ５０に蓄積記憶されている画像データがカセッテスタンド８４の読み出し部１０８へ転送され、読み出し部１０８によって画像データを画像メモリ１２４に記憶させる。
【００５５】
画像メモリ１２４には出力制御部１２６が接続されている。出力制御部１２６は、画像メモリ１２４に記憶された画像データを外部機器へ出力するように操作部１１６によって指示されたときに、画像メモリ１２４からの画像データの読み出し及び外部機器への画像データの出力を制御する。外部機器として、画像データが表す画像(放射線画像)を表示するディスプレイや、画像データが表す画像をシート状の印刷媒体に印刷する印刷装置、画像データをＣＤ−Ｒや公知の他の情報記録媒体に記録する情報記録装置、通信ネットワークを介して接続された情報処理機器へ画像データを送信する通信装置等が挙げられる。
【００５６】
また、カセッテスタンド８４には電源部１４４が設けられている。電源部１４４は商用電源に常時接続され、商用電源から供給された電力を整流、変圧し、カセッテスタンド８４のうち各種回路や各素子（読み出し部１０８、操作部１１６、画像メモリ１２４、出力制御部１２６等）へ供給する。各種回路や各素子は電源部１４４から供給された電力によって作動する。
【００５７】
電源部１４４は、充電部１４６にも接続されており、また、カセッテスタンド８４の電極１４２は導体を介して充電部１４６に接続されている。充電部１４６は、電極１４２が二次電池用電極７６と接触し、導通している場合、電源部１４４から供給された電力を、電子カセッテ１２の主電源部８０の二次電池へ電力を供給して、二次電池を充電する。
【００５８】
次に、第１の実施の形態に係る放射線画像取扱システム１０の作用について説明する。複数種類の大きさの電子カセッテ１２のうちの何れかの大きさの電子カセッテ１２を、カセッテスタンド８４の何れかの挿入溝１７２に収容するときに、電子カセッテ１２のケーシング２０が、ケーシング２０の底部面２０Ａがカセッテスタンド８４の挿入溝１７２の底面１７２Ａと当接する位置まで挿入され、また、カセッテスタンド８４の挿入溝１７２の底面１７２Ａの傾斜によって、電子カセッテ１２のケーシング２０が、ケーシング２０の側面がカセッテスタンド８４の挿入溝１７２の背面１７２Ｂと当接する位置まで挿入される。これによって、個々の二次電池用電極７６と個々の電極１４２とが接触し、導通した状態となり、また、出力用電極７４と電極１３４とが接触し、導通した状態となる。
【００５９】
そして、カセッテスタンド８４の充電部１４６によって、電極１４２と二次電池用電極７６とを介して、主電源部８０の二次電池が充電される。
【００６０】
また、操作部１１６から、画像データの読み出しが指示されると、カセッテスタンド８４の読み出し部１０８によって、電子カセッテ１２の画像メモリ５０に記憶された画像データを出力制御部７２に出力させて、出力用電極７４と電極１３４とを介して、画像データを読み出し、カセッテスタンド８４の画像メモリ１２４に画像データを記憶する。
【００６１】
以上説明したように、第１の実施の形態に係る放射線画像取扱システムによれば、収容された電子カセッテの連続する底部面及び側面を、カセッテスタンドの挿入溝の底面及び背面に当接させて、背面及び底面に形成された電極を、電子カセッテの底部面及び側面に設けられた二次電池用電極及び出力用電極に接触させることにより、カセッテスタンドを電子カセッテと安定して電気的に接続して、充電及び放射線画像の読み出しを行うことができる。
【００６２】
また、異なる大きさの電子カセッテをカセッテスタンドに収容しても、電子カセッテの連続する底部面及び側面を、カセッテスタンドの挿入溝の底面及び背面に当接させて、一意的に位置決めすることができるため、接触するように各電極を設けることにより、電子カセッテとカセッテスタンドとを安定して電気的に接続することができる。
【００６３】
なお、上記の実施の形態では、カセッテスタンドによって、電子カセッテの充電及び放射線画像の読み出しを行う場合を例に説明したが、これに限定されるものではなく、カセッテスタンドによって、電子カセッテの充電及び放射線画像の読み出しの何れか一方を行うようにしてもよい。充電のみを行う場合には、電子カセッテの連続する底部面及び側面の少なくとも一方に、二次電池用電極を設け、カセッテスタンドの挿入溝の底面及び背面の少なくとも一方に、充電部に接続された電極を設ければよい。また、放射線画像の読み出しのみを行う場合には、電子カセッテの連続する底部面及び側面の少なくとも一方に、出力用電極を設け、カセッテスタンドの挿入溝の底面及び背面の少なくとも一方に、読み出し部に接続された電極を設ければよい。
【００６４】
また、カセッテスタンドには、複数の挿入溝が形成されている場合を例に説明したが、これに限定されるものではなく、斜め谷型の溝を、仕切り部材で複数の分割し、溝の分割部分の各々に、電子カセッテを収容するようにしてもよい。この場合には、溝の分割部分の各々の底面及び背面に、電極を設けるようにすればよい。
【００６５】
また、いずれの大きさの電子カセッテでも、底部面と底部面に連続する側面とによって形成される稜線から特定位置に、二次電池用電極及び出力用電極を設けた場合を例に説明したが、これに限定されるものではなく、最小サイズの電子カセッテのケーシングの底部面が、対向する底面と接触する領域の範囲内に、二次電池用電極や出力用電極を設ければよい。また、最小サイズの電子カセッテのケーシングの底部面に連続する側面が、対向する背面と接触する領域の範囲内に、二次電池用電極や出力用電極を設ければよい。この場合には、何れかのサイズの電子カセッテが収容されても、二次電池用電極や出力用電極と接触するように、挿入溝の底面及び背面に電極を設けておけばよい。
【００６６】
また、電子カセッテの底部面及び底部面に連続する側面に、二次電池用電極や出力用電極を設けた場合を例に説明したが、これに限定されるものではなく、電子カセッテの底部面及び底部面に連続する側面の何れか一方のみに、二次電池用電極や出力用電極を設けるようにしてもよい。また、電子カセッテの底部面及び底部面に連続する側面で形成される稜線の角部領域に、二次電池用電極や出力用電極を設けた場合を例に説明したが、これに限定されるものではない。
【００６７】
次に、第２の実施の形態について説明する。なお、第１の実施の形態と同様の構成となっている部分については、同一符号を付して説明を省略する。
【００６８】
第２の実施の形態では、電子カセッテ及びカセッテスタンドの各々には、充電用の電極のみが設けられている点と、電子カセッテを縦向きに収容しても、横向きに収容してもカセッテスタンドによって充電される点とが異なっている。
【００６９】
図６に示すように、第２の実施の形態に係る放射線画像取扱システム２１０の電子カセッテ２１２には、ケーシング２０の底部面２０Ａと底部面２０Ａに連続する側面とで形成される稜線から所定範囲内の底部面２０Ａの特定領域に露出するように二次電池用電極７６が設けられている。
【００７０】
また、放射線画像取扱システム２１０のカセッテスタンド２８４には、ケーシング９４の底面１７２Ａと背面１７２Ｂとの各々に、底面１７２Ａと背面１７２Ｂとで形成される稜線から、最小サイズの電子カセッテ２１２の底部面２０Ａの長手方向の長さの範囲の領域に、電極２４２が露出するように設けられている。
【００７１】
電子カセッテ２１２のケーシング２０の底部面２０Ａが挿入溝１７２の底面１７２Ａと当接し、電子カセッテ２１２のケーシング２０の底部面２０Ａに隣接する側面が挿入溝１７２の背面１７２Ｂと当接している状態では、二次電池用電極７６と電極２４２とが接触し、導通状態となる。
【００７２】
また、電子カセッテ２１２のケーシング２０の底部面２０Ａが、挿入溝１７２の背面１７２Ｂと当接し、電子カセッテ２１２のケーシング２０の底部面２０Ａに連続する側面が挿入溝１７２の底面１７２Ａと当接している状態においても、二次電池用電極７６と電極２４２とが接触し、導通状態となる。
【００７３】
カセッテスタンド２８４の電極２４２は、導体を介して充電部１４６に接続されている。充電部１４６は、電極２４２が二次電池用電極７６と接触し、導通している場合、電子カセッテ２１２の主電源部８０の二次電池へ電力を供給して、二次電池を充電する。
【００７４】
次に、第２の実施の形態に係る放射線画像取扱システム２１０の作用について説明する。複数種類の大きさの電子カセッテ２１２のうちの何れかの大きさの電子カセッテ２１２を、縦向きにカセッテスタンド２８４の何れかの挿入溝１７２に収容するときに、電子カセッテ２１２のケーシング２０が、ケーシング２０の底部面２０Ａがカセッテスタンド８４の挿入溝１７２の底面１７２Ａと当接し、ケーシング２０の側面がカセッテスタンド８４の挿入溝１７２の背面１７２Ｂと当接する位置まで挿入される。これによって、二次電池用電極７６と電極１４２とが接触し、導通した状態となる。
【００７５】
そして、カセッテスタンド８４の充電部１４６によって、電極１４２と二次電池用電極７６とを介して、主電源部８０の二次電池が充電される。
【００７６】
また、図７に示すように、電子カセッテ２１２を、横向きにカセッテスタンド２８４の何れかの挿入溝１７２に収容するときに、電子カセッテ２１２のケーシング２０が、ケーシング２０の底部面２０Ａがカセッテスタンド８４の挿入溝１７２の背面１７２Ｂと当接し、ケーシング２０の側面がカセッテスタンド８４の挿入溝１７２の底面１７２Ａと当接する位置まで挿入される。これによって、二次電池用電極７６と電極２４２とが接触し、導通した状態となる。
【００７７】
そして、カセッテスタンド８４の充電部１４６によって、電極１４２と二次電池用電極７６とを介して、主電源部８０の二次電池が充電される。
【００７８】
このように、収容された電子カセッテの連続する底部面及び側面を、カセッテスタンドの挿入溝の底面及び背面に当接させて、背面及び底面に形成された電極を、電子カセッテの底部面に設けられた二次電池用電極に接触させることにより、電子カセッテを縦向きに収容しても、横向きに収容しても、カセッテスタンドを電子カセッテと安定して電気的に接続して、充電を行うことができる。
【００７９】
なお、上記の実施の形態では、電子カセッテの底部面に二次電池用電極を設けた場合を例に説明したが、電子カセッテの底部面に出力用電極を設けるようにしてもよい。この場合には、カセッテスタンドの挿入溝の底面及び背面に形成された電極を、読み出し部に接続しておけばよい。また、電子カセッテの底部面に連続した側面に、二次電池用電極又は出力用電極を設けてもよい。
【００８０】
また、電子カセッテの底部面又は底部面に連続した側面に、二次電池用電極及び出力電極の双方を設けるようにしてもよい。この場合には、カセッテスタンドの挿入溝の底面及び背面に形成された電極を、切り替えスイッチを介して、充電部及び読み出し部の双方に接続し、操作部によって充電が指示された場合には、充電部によって電極及び二次電池用電極を介して電子カセッテを充電するように、切り替えスイッチを制御し、操作部によって放射線画像の読み出しが指示された場合には、読み出し部によって電極及び出力用電極を介して放射線画像を読み出すように、切り替えスイッチを制御すればよい。
【００８１】
次に、第３の実施の形態について説明する。なお、第１の実施の形態と同様の構成となる部分については、同一符号を付して説明を省略する。
【００８２】
第３の実施の形態では、カセッテスタンドの挿入溝の底面及び背面の一部が移動可能な構成となっている点が第１の実施の形態と異なっている。
【００８３】
図８（Ａ）に示すように、第３の実施の形態に係る放射線画像取扱システム３１０のカセッテスタンド３８４は、各挿入溝１７２に、底面１７２Ａと背面１７２Ｂとで形成される稜線を含む底面１７２Ａの一部と背面１７２Ｂの一部とで形成される可動部３８４Ａを備え、可動部３８４Ａは、カセッテスタンド３８４に対して移動可能な構成となっている。また、カセッテスタンド３８４には、可動部３８４Ａの位置を背面１７２Ｂの垂線方向に動かすバネ部材３８４Ｂが設けられている。
【００８４】
図９に示すように、バネ部材３８４Ｂは、収容される電子カセッテ１２の重さが小さいほど、可動部３８４Ａの位置を垂線方向に移動させて、電子カセッテ１２の収容位置を押し上げる。
【００８５】
図８（Ｂ）に示すように、可動部３８４Ａには、電子カセッテ１２のケーシング２０が挿入溝１７２に挿入された状態で出力用電極７４、二次電池用電極７６が接触する領域に、電極１３４、１４２が露出するように設けられている。
【００８６】
次に、第３の実施の形態に係る放射線画像取扱システム３１０の作用について説明する。複数種類の大きさの電子カセッテ１２のうちの何れかの大きさの電子カセッテ２１２を、縦向きにカセッテスタンド３８４の何れかの挿入溝１７２に収容するときに、電子カセッテ１２のケーシング２０が、ケーシング２０の底部面２０Ａがカセッテスタンド３８４の挿入溝１７２の底面１７２Ａと当接し、ケーシング２０の側面がカセッテスタンド３８４の挿入溝１７２の背面１７２Ｂと当接する位置まで挿入される。このとき、収容された電子カセッテ１２の重さに応じて、バネ部材３８４Ｂが可動部３８４Ａの位置を押し上げて、収容された電子カセッテ１２の位置を押し上げる。
【００８７】
また、電子カセッテ１２側の出力用電極７４、二次電池用電極７６とカセッテスタンド３８４の可動部３８４Ａ側の電極１３４、１４２とが接触し、導通した状態となる。
【００８８】
そして、カセッテスタンド３８４の充電部１４６によって、電極１４２と二次電池用電極７６とを介して、主電源部８０の二次電池が充電される。
【００８９】
また、操作部１１６から、画像データの読み出しが指示されると、カセッテスタンド３８４の読み出し部１０８によって、電子カセッテ１２の画像メモリ５０に記憶された画像データを出力制御部７２に出力させて、出力用電極７４と電極１３４とを介して、画像データを読み出す。
【００９０】
以上説明したように、第３の実施の形態に係る放射線画像取扱システムによれば、カセッテスタンドから飛び出している各サイズの電子カセッテの飛び出し位置が揃うように、電子カセッテの重さに応じて収容位置を押し上げることで、大サイズの電子カセッテが収容されている間に、小サイズの電子カセッテが配列して収容されていても、小サイズの電子カセッテが取り出しにくくなることを防止することができる。
【００９１】
なお、上記の実施の形態では、バネ部材によって可動部を押し上げる場合を例に説明したが、これに限定されるものではなく、ダンパによって可動部を押し上げるようにしてもよい。
【００９２】
次に、第４の実施の形態について説明する。なお、第１の実施の形態及び第３の実施の形態と同様の構成となる部分については、同一符号を付して説明を省略する。
【００９３】
第４の実施の形態では、収容された電子カセッテの大きさに応じて、電子カセッテの収容位置を押し上げている点が、第３の実施の形態と異なっている。
【００９４】
第４の実施の形態では、カセッテスタンドに、収容された電子カセッテ１２の大きさを検出するセンサと、可動部３８４Ａの位置を背面１７２Ｂの垂線方向に押し上げる押し上げ機構とが設けられている。押し上げ機構としては、例えば、アクチュエータを用いればよい。
【００９５】
センサによって検出される電子カセッテ１２の大きさが小さいほど、押し上げ機構によって、可動部３８４Ａの位置を背面１７２Ｂの垂線方向に高く押し上げて、電子カセッテ１２の収容位置を押し上げる。
【００９６】
なお、放射線画像取扱システムの他の構成及び作用については、第３の実施の形態と同様であるため、説明を省略する。
【００９７】
上記の第３の実施の形態及び第４の実施の形態では、バネ部材や押し上げ機構によって、挿入溝の背面の垂線方向に可動部を押し上げる場合を例に説明したが、これに限定されるものではなく、挿入溝の底面の垂線方向に押し上げるように、バネ部材や押し上げ機構を設けてもよい。
【００９８】
次に、第５の実施の形態について説明する。なお、第１の実施の形態と同様の構成となる部分については、同一符号を付して説明を省略する。
【００９９】
第５の実施の形態では、充電部や読み出し部がカセッテスタンドの外部に設けられている点が、第１の実施の形態と異なっている。
【０１００】
図１０に示すように、第５の実施の形態に係る放射線画像取扱システム５１０のカセッテスタンド５８４は、電極１３４、１４２と、充電部１４６とを備えている。
【０１０１】
充電部１４６は、カセッテスタンド５８４の外部に設けられたＡＣアダプタから構成される電源部５４４と接続されている。充電部１４６は、電極１４２が二次電池用電極７６と接触し、導通している場合、電源部５４４から供給された電力を、電子カセッテ１２の主電源部８０の二次電池へ電力を供給して、二次電池を充電する。
【０１０２】
カセッテスタンド５８４の電極１３４は、カセッテスタンド５８４の外部に設けられた読み出し装置５０８と接続されている。読み出し装置５０８は、読み出し部１０８と、操作部１１６と、画像メモリ１２４と、出力制御部１２６とを備えている。
【０１０３】
カセッテスタンド５８４の電極１３４は、読み出し装置５０８の読み出し部１０８に導体を介して接続されている。カセッテスタンド８４の電極１３４が電子カセッテ１２の出力用電極７４と接触し、導通している場合、電子カセッテ１２の画像メモリ５０に蓄積記憶されている画像データが、出力用電極７４及び電極１３４を介して読み出し装置５０８の読み出し部１０８へ転送され、読み出し部１０８によって画像データを画像メモリ１２４に記憶させる。
【０１０４】
なお、放射線画像取扱システムの他の構成及び作用については、第１の実施の形態と同様であるため、説明を省略する。
【０１０５】
次に、第６の実施の形態について説明する。なお、第１の実施の形態と同様の構成となる部分については、同一符号を付して説明を省略する。
【０１０６】
第６の実施の形態では、非接触充電を行う点が、第１の実施の形態と異なっている。
【０１０７】
図１１に示すように、第６の実施の形態に係る放射線画像取扱システム６１０は、カセッテスタンド６８４の内部に電子カセッテのバッテリを非接触充電するための１次コイルを備えた電力供給部６４２が設けられている。電力供給部６４２の１次コイルは、充電部１４６に接続されている。
【０１０８】
電子カセッテ６１２には、２次コイルを備えた受電部６７６が設けられている。受電部６７６の２次コイルは、２次コイルで生じた起電力を整流する充電回路（図示省略）を介して主電源部８０に接続されている。
【０１０９】
電子カセッテ６１２のケーシング２０の底部面２０Ａと底部面２０Ａに連続する側面とで形成される稜線を含む角部領域と、底部面２０Ａの稜線から所定範囲内の特定領域とに、受電部６７６が設けられている。
【０１１０】
カセッテスタンド６８４のケーシング９４の各挿入溝１７２の底面１７２Ａと背面１７２Ｂとには、電子カセッテ１２のケーシング２０が挿入溝１７２に挿入された状態で受電部６７６に対向する領域に、電力供給部６４２が設けられている。
【０１１１】
電子カセッテ６１２のケーシング２０が挿入溝１７２に挿入されると、電子カセッテ６１２側の受電部６７６とカセッテスタンド６８４の電力供給部６４２とが対向している状態となる。
【０１１２】
このとき、ＡＣ電圧が印加された電力供給部６４２の１次コイルから、電磁誘導作用により磁界が発生する。この磁界に誘導されて受電部６７６の２次コイルに生じた起電力が、充電回路で整流され、主電源部８０の二次電池が充電される。
【０１１３】
なお、放射線画像取扱システムの他の構成及び作用については、第１の実施の形態と同様であるため、説明を省略する。
【０１１４】
次に、第７の実施の形態について説明する。なお、第１の実施の形態と同様の構成となる部分については、同一符号を付して説明を省略する。
【０１１５】
第７の実施の形態では、二次電源及び二次電池用電極を備えた電源装置が、着脱可能に電子カセッテに収納されている点が、第１の実施の形態と異なっている。
【０１１６】
図１２に示すように、第７の実施の形態に係る放射線画像取扱システム７１０の電子カセッテ７１２のケーシング２０の底部面側に、着脱可能な電源装置７１４が収納されている。また、電子カセッテ７１２のケーシング２０は、複数種類の大きさの電源装置７１４が収納できるように構成されている。
【０１１７】
電源装置７１４には、二次電池を内蔵した主電源部８０及び二次電池用電極７６を備えている。
【０１１８】
電源装置７１４のケーシングの底部面と底部面に連続する側面とで形成される稜線を含む角部領域と、底部面の稜線から所定範囲内の特定領域とに、二次電池用電極７６が設けられている。
【０１１９】
カセッテスタンド８４のケーシング９４の各挿入溝１７２の底面１７２Ａと背面１７２Ｂとには、電子カセッテ１２のケーシング２０が挿入溝１７２に挿入された状態で、電源装置７１４の二次電池用電極７６と接触する領域に、電極１４２が設けられている。
【０１２０】
複数種類の大きさの電源装置７１４のうちの何れかの大きさの電源装置７１４を、電子カセッテ７１２のケーシング２０の底部面側に取り付けて収納する。電源装置７１４が収納された電子カセッテ７１２のケーシング２０が挿入溝１７２に挿入されると、電子カセッテ７１２の電源装置７１４の二次電池用電極７６とカセッテスタンド８４の電極１４２とが接触し、導通状態となる。
【０１２１】
なお、放射線画像取扱システムの他の構成及び作用については、第１の実施の形態と同様であるため、説明を省略する。
【０１２２】
このように、異なる大きさの電源装置を取り付けることが可能な電子カセッテをカセッテスタンドに収容しても、電子カセッテに収納された電源装置の連続する底部面及び側面を、カセッテスタンドの挿入溝の底面及び背面に当接させて、一意的に位置決めすることができるため、接触するように各電極を設けることにより、電子カセッテの電源装置とカセッテスタンドとを安定して電気的に接続することができる。
【０１２３】
なお、上記の実施の形態において、上記第６の実施の形態と同様に、非接触充電を行う構成としてもよい。
【０１２４】
次に、第８の実施の形態について説明する。なお、第１の実施の形態と同様の構成となる部分については、同一符号を付して説明を省略する。
【０１２５】
第８の実施の形態では、二次電源及び二次電池用電極を備えた電源装置を収容するバッテリースタンドに本発明を適用した場合について説明する。
【０１２６】
図１３に示すように、第８の実施の形態に係る充電システム８１０の電源装置８１２は、二次電池を内蔵した主電源部８０及び二次電池用電極７６を備えている。
【０１２７】
電源装置８１２のケーシングの底部面と底部面に連続する側面とで形成される稜線を含む角部領域と、底部面の稜線から所定範囲内の特定領域とに、二次電池用電極７６が設けられている。
【０１２８】
バッテリースタンド８８４のケーシング８９４の各挿入溝１７２は、複数種類の大きさの電源装置８１２を収納可能に形成されている。
【０１２９】
バッテリースタンド８８４のケーシング８９４の各挿入溝１７２の底面１７２Ａと背面１７２Ｂとには、電源装置８１２のケーシングが挿入溝１７２に挿入された状態で電源装置８１４の二次電池用電極７６と接触する領域に、電極１４２が設けられている。
【０１３０】
複数種類の大きさの電源装置８１４のうちの何れかの大きさの電源装置８１４のケーシングが挿入溝１７２に挿入されると、電源装置８１４の二次電池用電極７６とバッテリースタンド８８４の電極１４２とが接触し、導通状態となる。
【０１３１】
このように、異なる大きさの電源装置をバッテリースタンドに収容しても、電源装置の連続する底部面及び側面を、バッテリースタンドの挿入溝の底面及び背面に当接させて、一意的に位置決めすることができるため、接触するように各電極を設けることにより、電源装置とバッテリースタンドとを安定して電気的に接続することができる。
【０１３２】
なお、上記の実施の形態において、上記第６の実施の形態と同様に、非接触充電を行う構成としてもよい。
【符号の説明】
【０１３３】
１０、２１０、３１０、５１０、６１０、７１０  放射線画像取扱システム
１２、２１２、６１２、７１２ 電子カセッテ
１４  放射線発生部
２０、９４  ケーシング
２０Ａ  底部面
２６  放射線検出器
７２、１２６ 出力制御部
７４ 出力用電極
７６ 二次電池用電極
８０ 主電源部
８４、２８４、３８４、５８４、６８４  カセッテスタンド
１０８  読み出し部
１２４  画像メモリ
１３４、１４２、２４２  電極
１４６  充電部
１７２  挿入溝
１７２Ａ  底面
１７２Ｂ  背面
３８４Ａ  可動部
３８４Ｂ  バネ部材
５０８  読み出し装置
６４２  電力供給部
６７６  受電部
７１４、８１２  電源装置
８１０  充電システム
８８４  バッテリースタンド
【図１】
0005377007.tif 000002
【図２】
0005377007.tif 000003
【図３】
0005377007.tif 000004
【図４】
0005377007.tif 000005
【図５】
0005377007.tif 000006
【図６】
0005377007.tif 000007
【図７】
0005377007.tif 000008
【図８】
0005377007.tif 000009
【図９】
0005377007.tif 000010
【図１０】
0005377007.tif 000011
【図１１】
0005377007.tif 000012
【図１２】
0005377007.tif 000013
【図１３】
0005377007.tif 000014